(57)【要約】  消火器訓練用の方法及び装置を提供する。裸火を必要としないで、こうした方法及び装置を電子的に行う。訓練装置（１２）には、変化する光によって動的な火炎をシミュレートするパターンを表示するように適合された複数の光源を有するディスプレイ（１３）、消火器及び消火器シミュレーター（１８）のうちの１つにより放出される刺激を検出し、そして検出した刺激に対応する信号を出力するように適合されたセンサー（１５）、並びにセンサー（１５）からの出力を受信し、そしてセンサー（１５）により検出される刺激に応じてディスプレイ（１３）上に動的な火炎をシミュレートする光源パターンを変化させるように適合された１以上のプロセッサーが含まれる。方法及び装置を、消火器の適切な使用に関する消防士の訓練、例えば、ヨーロッパクラスＡ、Ｂ、Ｃ、Ｄ、Ｅ又はＦタイプの火災を鎮める場合に、一般に要求されるテクニックの訓練に使用することがある。
2009529708.tif 000002
【特許請求の範囲】
【請求項１】
変化する光によって動的な火炎をシミュレートするパターンを表示するように適合されたディスプレイと、
消火器及び消火器シミュレーターのうちの１つにより放出される刺激を検出し、そして検出した刺激に対応する信号を出力するように適合された少なくとも１つのセンサーと、
前記の少なくとも１つのセンサーからの出力を受信し、そして少なくとも１つの前記センサーにより検出される刺激に応じて、動的な火炎をシミュレートする光のパターンをディスプレイ上で変化させるように適合された１以上のプロセッサーと
を含む消火器訓練装置。
【請求項２】
前記ディスプレイが、変化する光のパターンの前に設けられ、変化する光のパターンにより放出される光の経路を変化させるように適合された少なくとも１つの第１パネルを更に含む、請求項１に記載の消火器訓練装置。
【請求項３】
前記ディスプレイが、第１パネルの前に設けられ、変化する光のパターンにより放出される光の経路を更に変化させるように適合された少なくとも１つの第２パネルを更に含む、請求項２に記載の消火器訓練装置。
【請求項４】
前記ディスプレイが、消火器及び消火器シミュレーターのうちの１つにより放出される刺激のディスプレイ上における衝撃の周辺部を検出するように適合された少なくとも１つのセンサーを更に含む、請求項１〜３のいずれか一項に記載の消火器訓練装置。
【請求項５】
衝撃の前記周辺部が、ディスプレイ上における衝撃の地点を含む、請求項４に記載の消火器訓練装置。
【請求項６】
消火器及び消火器シミュレーターのうちの１つにより放出される刺激が、電磁信号、圧力波信号、固体粒子の流れ、及び流体の流れを含む、請求項１〜５のいずれか一項に記載の消火器訓練装置。
【請求項７】
刺激が圧力波信号を含み、そして圧力波信号が音波を含む、請求項６に記載の消火器訓練装置。
【請求項８】
装置の操作を調節するように適合されたコントローラーを更に含む、請求項１〜７のいずれか一項に記載の消火器訓練装置。
【請求項９】
前記コントローラーがディスプレイ上の変化する光のパターンを調節する、請求項８に記載の消火器訓練装置。
【請求項１０】
前記コントローラーが、所定のアルゴリズムに従って、装置の操作を調節する、請求項８又は９に記載の消火器訓練装置。
【請求項１１】
前記の所定のアルゴリズムが、ヨーロッパ火災クラスＡ、Ｂ、Ｃ、Ｄ、Ｅ及びＦの少なくとも１つに相当する、請求項１０に記載の消火器訓練装置。
【請求項１２】
前記の少なくとも１つのセンサーが、ディスプレイに隣接して設けられているか、又はディスプレイ内に設けられた複数のセンサーを含む、請求項１〜１１のいずれか一項に記載の消火器訓練装置。
【請求項１３】
変化する光によって、動的な火炎をシミュレートするパターンを表示し、
消火器及び消火器シミュレーターのうちの１つにより放出される刺激を検出し、そして検出した刺激に対応する出力信号を発生し、
少なくとも１つのセンサーからの出力を処理し、そして少なくとも１つのセンサーにより検出される刺激に応じてディスプレイ上の光のパターンを変化すること
を含む消火器訓練方法。
【請求項１４】
消火器訓練方法が、シミュレートされた火炎の外観を向上するために、光のパターンの経路を変化させることを更に含む、請求項１３に記載の消火器訓練方法。
【請求項１５】
消火器訓練方法が、消火器及び消火器シミュレーターの方向を検出し、そして刺激の衝撃の周辺部をディスプレイ上で表示することを更に含む、請求項１３又は１４に記載の消火器訓練方法。
【請求項１６】
消火器訓練方法が、所定の消火器操作プロトコルにあてはめるために、前記訓練方法を実施するための前記訓練装置の操作を変化させることを更に含む、請求項１３に記載の消火器訓練方法。
【請求項１７】
消火器訓練方法が、少なくとも１つの所定の消火器操作プロトコルにあてはめるために、前記訓練方法を実施するための前記訓練装置の操作を変化させることを更に含む、請求項１３〜１６のいずれか一項に記載の消火器訓練方法。
【請求項１８】
少なくとも１つの所定の操作プロトコルが、火災のクラスに対応する複数のアルゴリズムを含む、請求項１７に記載の消火器訓練方法。
【請求項１９】
前記の火災のクラスが、アメリカ火災クラス及びヨーロッパ火災クラスのうちの１つを含む、請求項１８に記載の消火器訓練方法。
【請求項２０】
前記の火災のクラスが、アメリカクラスＡ、クラスＢ、クラスＣ、クラスＤ、及びクラスＫを１以上含む、請求項１９に記載の消火器訓練方法。
【請求項２１】
前記の火災のクラスが、ヨーロッパクラスＡ、クラスＢ、クラスＣ、クラスＤ、クラスＥ、及びクラスＦを１以上含む、請求項１９に記載の消火器訓練方法。
【請求項２２】
複数の発行ダイオードを有するディスプレイ、及び動的な火炎をシミュレートするために発光ダイオードのイルミネーションを変化させるように適合されたコントローラーと、
消火器及び消火器シミュレーターのうちの１つにより放出される刺激を検出し、そして検出した刺激に対応する信号を出力するように適合された複数のセンサーと、
複数のセンサーからの出力を受信し、そして複数のセンサーにより検出される刺激に応じてディスプレイ上の発光ダイオードのイルミネーションを変化させるように適合された１以上のプロセッサーと
を含む、消火器訓練装置。
【請求項２３】
ディスプレイが、複数の発光ダイオードの前に設けられ、複数の発光ダイオードにより放出される光の経路を変化させ、そしてシミュレートされた火炎の外観を向上させる第１及び第２パネルを更に含む、請求項２２に記載の消火器訓練装置。
【請求項２４】
前記の複数のセンサーが複数の第１センサーを含み、そして前記消火器訓練装置が刺激の衝撃の周辺部を検出するように適合された複数の第２センサーを更に含み、そして訓練装置が衝撃の周辺部をディスプレイ上で表示する手段を更に含む、請求項２２又は２３に記載の消火器訓練装置。
【請求項２５】
前記消火器訓練装置の操作を調節するように適合されたコントローラーを更に含む、請求項２２〜２４のいずれか一項に記載の消火器訓練装置。
【請求項２６】
前記の１以上のプロセッサーが、ミニコントローラー及びディスプレイの操作を調節するように適合された複数のあらかじめプログラムされたアルゴリズムを含む、請求項２２〜２５のいずれか一項に記載の消火器訓練装置。
【請求項２７】
前記の複数のあらかじめプログラムされたアルゴリズムが、ヨーロッパ火災クラスＡ、Ｂ、Ｃ、Ｄ、Ｅ、及びＦの少なくとも１つに相当する、請求項２６に記載の消火器訓練装置。
【請求項２８】
請求項１〜１２のいずれか一項に記載の消火器訓練装置により検出可能な刺激を放出するように適合された消火器シミュレーターであって、
前記消火器訓練シミュレーターが、
訓練を受ける者により保持されるように適合されたハウジングと、
ハウジング内に設けられた刺激源と、
刺激源を作動する手段と
を含む、前記消火器シミュレーター。
【請求項２９】
前記刺激源が、電磁放射、圧力波、流体、及び固体粒子の流れのうちの１つを放出するように適合された送信機を含む、請求項２８に記載の消火器シミュレーター。
【請求項３０】
作動する手段が、訓練を受ける者により取扱い可能な手動アクチュエーターを含む、請求項２８又は２９に記載の消火器シミュレーター。
【請求項３１】
前記刺激源が、手動アクチュエーターにより作動されるように適合された少なくとも１つの電磁波エミッターを含む、請求項３０に記載の消火器シミュレーター。
【請求項３２】
前記ハウジングが、消火ホースノズルをシミュレートする、請求項２８〜３１のいずれか一項に記載の消火器シミュレーター。
【請求項３３】
動的な火炎をシミュレートするように適合されたディスプレイと、
火災鎮静装置及び火災鎮静装置シミュレーターのうちの１つにより放出される刺激を検出し、そして検出された刺激に対応する信号を出力するように適合された少なくとも１つのセンサーと、
少なくとも１つのセンサーからの出力を受信し、そして少なくとも１つのセンサーにより検出される刺激に応じてディスプレイ上に動的な火炎を変化させるように適合された火炎制御信号を発生するように適合された１以上のプロセッサーと、
少なくとも１つの所定のアルゴリズムに従って、発生した火炎制御信号を変化させる手段と
を含む、消火器訓練装置。
【請求項３４】
前記の少なくとも１つの所定のアルゴリズムが、火災のクラスに対応する複数のアルゴリズムを含む、請求項３３に記載の消火器訓練装置。
【請求項３５】
前記の火災のクラスが、アメリカ火災クラス及びヨーロッパ火災クラスのうちの１つを含む、請求項３４に記載の消火器訓練装置。
【請求項３６】
前記の火災のクラスが、アメリカクラスＡ、クラスＢ、クラスＣ、クラスＤ、及びクラスＫを１以上含む、請求項３４に記載の消火器訓練装置。
【請求項３７】
前記の火災のクラスが、ヨーロッパクラスＡ、クラスＢ、クラスＣ、クラスＤ、クラスＥ及びクラスＦを１以上含む、請求項３４に記載の消火器訓練装置。
【請求項３８】
動的な火炎をシミュレートするように適合されたディスプレイを提供し、
火災鎮静装置及び火災鎮静装置シミュレーターのうちの１つにより放出される刺激を検出し、そして検出された刺激に対応する信号を出力するように適合された少なくとも１つのセンサーを提供し、
火災鎮静装置及び火災鎮静装置シミュレーターのうちの１つから刺激を放出し、
少なくとも１つのセンサーからの刺激を検出し、そしてセンサー出力を発生し、
センサー出力からの火炎制御信号を発生し、ここで前記火炎制御信号は少なくとも１つのセンサーにより検出される刺激に応じて、動的な火炎をディスプレイ上で変化させるように適合し、そして
少なくとも１つの所定のアルゴリズムに従って火炎制御信号を変化すること
を含む、消火器訓練方法。
【請求項３９】
前記の少なくとも１つの所定のアルゴリズムが、火災のクラスに対応する複数のアルゴリズムを含む、請求項３８に記載の消火器訓練方法。
【請求項４０】
前記の火災のクラスが、アメリカ火災クラス及びヨーロッパ火災クラスのうちの１つを含む、請求項３９に記載の消火器訓練方法。
【請求項４１】
前記の火災のクラスが、１以上のアメリカクラスＡ、クラスＢ、クラスＣ、クラスＤ、及びクラスＫを含む、請求項３９に記載の消火器訓練方法。
【請求項４２】
前記の火災のクラスが、ヨーロッパクラスＡ、クラスＢ、クラスＣ、クラスＤ、クラスＥ及びクラスＦを１以上含む、請求項３９に記載の消火器訓練方法。
【請求項４３】
前記の複数のセンサーが、可聴下音波センサー、可聴音波センサー、及び超音波センサーを１以上含む、請求項２２〜２７のいずれか一項に記載の消火器訓練装置。
【請求項４４】
前記の複数のセンサーが、１以上の超音波センサーを含む、請求項４３に記載の消火器訓練装置。
【請求項４５】
前記の複数のセンサーが、ディスプレイに隣接して設けられている、請求項２２〜２７のいずれか一項に記載の消火器訓練装置。
【請求項４６】
消火器訓練装置が、１以上の発煙器を更に含む、請求項１〜１２のいずれか一項に記載の消火器訓練装置。
【請求項４７】
消火器訓練装置が、１以上の発煙器を更に含む、請求項２２〜２７のいずれか一項に記載の消火器訓練装置。
【請求項４８】
変化する光のパターンを表示することが、ディスプレイ上でパターンを表示することを含み、そして消火器訓練方法が
ディスプレイ上の消火器及び消火器シミュレーターのうちの１つにより放出される刺激の衝撃の周辺部を検出し、
ディスプレイ上に衝撃接触の周辺部を表示すること
を更に含む、請求項１３〜２１のいずれか一項に記載の消火器訓練方法。
【請求項４９】
火災鎮静装置及び火災鎮静装置シミュレーターのうちの１つにより放出される刺激の衝撃の周辺部をディスプレイ上で検出し、
衝撃の周辺部をディスプレイ上で表示すること
を更に含む、請求項３８〜４２のいずれか一項に記載の消火器訓練方法。
【請求項５０】
前記の１以上のプロセッサーが、前記の少なくとも１つのセンサーからの出力を受信し、そして刺激の衝撃の少なくとも周辺部をディスプレイ上で表示するように更に適合されている、請求項１〜１２のいずれか一項に記載の消火器訓練装置。
【請求項５１】
１以上の前記プロセッサーが、複数のセンサーからの出力を受信し、そしてディスプレイ上に少なくとも刺激の衝撃の周辺部を表示するように更に適合されている、請求項２２〜２７のいずれか一項に記載の消火器訓練装置。
【請求項５２】
消火器訓練方法が、複数の操作モードを含む、請求項１３〜２１のいずれか一項に記載の消火器訓練方法。
【請求項５３】
前記の複数の操作モードが、指示モード、テストモード、及び競争モードを１以上含む、請求項５２に記載の消火器訓練方法。
【請求項５４】
消火器訓練方法が複数の操作モードを含む、請求項３８〜４２のいずれか一項に記載の消火器訓練方法。
【請求項５５】
複数の操作モードが、指示モード、テストモード、及び競争モードを１以上含む、請求項５４に記載の消火器訓練方法。
【請求項５６】
ディスプレイが、変化する光のパターンを表示するように適合された複数の光源を含む、請求項１〜１２のいずれか一項に記載の消火器訓練装置。
【請求項５７】
前記の複数の光源が複数の発光ダイオードを含む、請求項５６に記載の消火器訓練装置。
【発明の詳細な説明】
【技術分野】
【０００１】
本発明は、消火器訓練方法及び装置に関し、特に、シミュレートされた火炎の電子制御及びシミュレートされた火炎に向けられる消火剤の散布を検出するように適合されたセンサーを含む、フレームレス消火器訓練方法及び装置に関する。
【発明の背景】
【０００２】
消火器を使用する場合の適切なテクニックを用いることが、生存と死との相違の可能性となる。操作の明白な容易性にもかかわらず、一般的に、消火器の適切な使用は平均的な市民の知識を超えている。消火器の適切な使用は、一般的に、訓練及び練習を要求する。しかし、消火器テクニックを訓練又は練習する場合、裸火の生成を避けることが望ましいことがしばしばある。例えば、或る環境（火炎が危険である、例えば、乗船、又は可燃性材料、例えば、石油製品が近くにある環境）において火炎を生成することは望ましくない。従って、当技術分野において、火炎を発生しない、すなわちフレームレスである、消火器訓練方法、システム、及び装置の必要性がある。
【０００３】
適切な消火器訓練の必要性が認められているので、消火器訓練装置を提供するための多くの従来技術の試みが存在する。しかし、こうした従来技術の装置の多くは、ある状態の裸火（open flame）を使用する。例えば、数ある中でも、米国特許出願第２００５／０２０２３７９号明細書、米国特許第５９２７９９０号明細書、そして米国特許第５４４７４３７号明細書は、すべて、ある状態の裸火を発生する。さらに、裸火を発生しない消火器訓練装置を提供するための、従来技術の試みも存在する。例えば、数ある中でも、米国特許出願公開第２００４／０１９１７３６号明細書、米国特許第６１２９５５２号明細書、そして米国特許第４００１９４９号明細書は、裸火を発生しない消火器訓練装置を提供する。しかし、こうした従来技術方法の多くは、それらの実用化を制限する（例えば、携帯性を制限する大きい構造を要求するか、又はそれらの実用性を制限する燃焼特性を変化させるように適合されていない）制限及び不都合を特徴とする。従って、効果的な消火器訓練装置を提供させるための大きな一歩にもかかわらず、改良した方法及び装置、例えば、改良した携帯型及び順応型の方法及び装置の必要性が今なお存在する。本発明の観点は、こうした他の従来技術の方法及び装置の制限及び利点の多くを克服する。
【発明の概要】
【０００４】
本発明の観点は、例えば、消火器の適切な取り扱い及び使用に関して消防士及び他の公共安全人員を訓練するための、有利な方法及び装置を提供する。しかし、従来技術の訓練装置と異なり、本発明の観点は、任意の裸火がない。すなわち、本発明の観点は、裸火が望ましくないか又は危険である環境（例えば、乗船又は隣接可燃性材料）における消火器訓練を提供することがある。本発明の観点を、形式的でない訓練、又は形式的な訓練、例えば、消防士及び他の認定のために使用することができる。
【０００５】
本発明の１つの観点は、変化する光によって動的な火炎をシミュレートするパターンを表示するように適合されたディスプレイ、消火器及び消火器シミュレーターのうちの１つにより放出される刺激（stimulus）を検出し、そして検出した刺激に対応する信号を出力するように適合された少なくとも１つのセンサー、並びに少なくとも１つのセンサーからの出力を受信し、そして少なくとも１つのセンサーにより検出される刺激に応じてディスプレイ上の動的な火炎をシミュレートする光のパターンを変化させるように適合された１以上のプロセッサーを含む消火器訓練装置である。ディスプレイには、複数の光源、例えば、複数の発光ダイオード（ＬＥＤ）が含まれることがある。１つの観点では、消火器及び消火器シミュレーターの１つにより放出される刺激には、電磁信号、圧力波信号、流体の流れ、及び固体粒子の流れのうちの１つが含まれる。別の観点では、装置には、装置の操作を調節するために、例えば、アメリカ火災クラス(U.S. fire class)Ａ、クラスＢ、クラスＣ、クラスＤ、又はクラスＫの火災に対応するアルゴリズム等の所定のアルゴリズムに従って、装置の操作を調節するように適合されたコントローラーが含まれる。
【０００６】
本発明の別の観点は、変化する光によって動的な火炎をシミュレートするパターンを表示し、消火器及び消火器シミュレーターのうちの１つにより放出される刺激を検出し、そして検出した刺激に対応する出力信号を発生すること、並びに少なくとも１つのセンサーからの出力を処理し、そして少なくとも１つのセンサーにより検出される刺激に応じてディスプレイ上の光のパターンを変化させることを含む消火器訓練方法である。１つの観点では、その方法には、消火器又は消火器シミュレーターの方向を検出すること、そしてディスプレイ上に刺激の衝撃の地点を表示することがさらに含まれる。
【０００７】
本発明の別の観点は、複数の発光ダイオードを有するディスプレイ及び動的な火炎をシミュレートするために発光ダイオードのイルミネーションを変化するように適合されたコントローラー、複数のセンサー（例えば、ディスプレイに隣接して設けられ、消火器及び消火器シミュレーターのうちの１つにより放出される刺激を検出し、そして検出した刺激に対応する出力信号を発生するように適合された複数のセンサー）、並びに複数のセンサーからの出力を受信し、そして複数のセンサーにより検出される刺激に応じてディスプレイ上の発光ダイオードのイルミネーションを変化させるように適合された１以上のプロセッサーを含む、消火器訓練装置である。１つの観点では、刺激は、可聴下音波、可聴音波、又は超音波の刺激であることがある。
【０００８】
本発明の更なる観点は、前記消火器訓練装置により検出可能な刺激を放出するように適合された消火器シミュレーター、訓練を受ける者により保持されるように適合されたハウジングを含む消火器シミュレーター、ハウジング内に設けられた刺激源、並びに刺激源を作動する手段である。１つの観点では、刺激源は、電磁放射、圧力波、流体、又は固体を放出するように適合された送信機を含む。
【０００９】
本発明のいっそうの更なる観点は、動的な火炎をシミュレートするように適合されたディスプレイ、火災鎮静装置（fire suppressing device）及び火災鎮静装置シミュレーターのうちの１つにより放出される刺激を検出し、そして検出された刺激に対応する信号を出力するように適合された少なくとも１つのセンサー、少なくとも１つのセンサーからの出力を受信し、そして少なくとも１つのセンサーにより検出される刺激に応じてディスプレイ上の動的な火炎を変化させるように適合された火炎制御信号を発生するように適合された１以上のプロセッサー、並びに少なくとも１つの所定のアルゴリズムに従って発生した火炎制御信号を変化させる手段を含む、消火器訓練装置である。１つの観点では、所定のアルゴリズムは、火災のクラス、例えば、１以上のアメリカ火災クラスＡ〜Ｄ及びＫ、又はヨーロッパ火災クラス(European fire class)Ａ〜Ｆに対応する複数のアルゴリズムであることがある。
【００１０】
最後に、本発明の別の観点は、動的な火炎をシミュレートするように適合されたディスプレイを提供すること、火災鎮静装置及び火災鎮静装置シミュレーターのうちの１つにより放出される刺激を検出し、そして検出された刺激に対応する信号を出力するように適合された少なくとも１つのセンサーを提供すること、火災鎮静装置及び火災鎮静装置シミュレーターのうちの１つから刺激を放出すること、少なくとも１つのセンサーからの刺激を検出し、そしてセンサー出力を発生すること、センサー出力からの火炎制御信号（火炎制御信号は、少なくとも１つのセンサーにより検出される刺激に応じてディスプレイ上の動的な火炎を変化させるように適合された）を発生すること、並びに、少なくとも１つの所定のアルゴリズムに従って火炎制御信号を変化させることを含む、消火器訓練方法である。また、所定のアルゴリズムは、火災のクラス、例えば、１以上のアメリカ火災クラスＡ〜Ｄ及びＫ、又はヨーロッパ火災クラスＡ〜Ｆに対応する複数のアルゴリズムであることがある。
【００１１】
本発明のこうした他の観点、特徴、及び利点は、添付図面と共に、本発明の種々の観点についての下記の詳細な説明から明らかとなるであろう。
【図面の簡単な説明】
【００１２】
本発明とみなされる主題を具体的に指摘し、そして本明細書の最後にある請求項において明確に請求している。本発明の上述の目的及び他の目的、特徴、及び利点は、添付図面と共に、本発明の観点である以下の詳細な説明から容易に理解されるであろう。
【００１３】
【図１】本発明の第１観点による消火器訓練装置を含むシステムの模式的に示す斜視図である。
【００１４】
【図２】図１に示す消火器訓練装置の斜視図である。
【００１５】
【図３】正面パネルを取り除いた状態の、図２に示す消火器訓練装置の正面図である。
【００１６】
【図４】図３の断面線４−４に沿って見た場合の、図３に示す消火器訓練装置の断面図である。
【００１７】
【図５】本発明の別の観点による図１に示すコントローラーの斜視図である。
【００１８】
【図６】図５に示すコントローラーの正面図である。
【００１９】
【図７】本発明の別の観点によるノズルシミュレーターの斜視図である。
【００２０】
【図８】図７に示すノズルシミュレーターの上部平面図である。
【００２１】
【図９】図８の断面線９−９に沿って見た場合の、図８に示すノズルシミュレーターの断面図である。
【００２２】
【図１０】本発明の別の観点によるシステムを、図１と同様に、模式的に示す斜視図である。
【００２３】
【図１１】本発明の別の観点のハードウェア操作の模式的なフロー図である。
【００２４】
【図１２】本発明の複数の観点による別のシステムを、図１０と同様に、模式的に示す斜視図である。
【００２５】
【図１３】本発明の別の観点による、図３と同様に、正面パネルを取り除いた状態の、消火器訓練装置の正面図である。
【発明の詳細な説明】
【００２６】
図１は、本発明の１つの観点による、使用者若しくは訓練を受ける者（１４）及び進行役若しくは訓練をさせる者（１６）による消火器訓練装置（１２）の一般的な使用を示しているシステム（１０）の模式的な斜視図である。後述の通り、訓練装置（１２）には、動的な火炎を示すディスプレイ（１３）、及び複数のセンサー（１５）が含まれる。本発明のこの観点によれば、訓練を受ける者（１４）は、消火器又は消火器シミュレーター（１８）を操作し、そして訓練装置（１２）に消火器又はシミュレーター（１８）を向け、そしてセンサー（１５）により検出可能な刺激、例えば、流体又は超音波信号を放出する。本発明の観点によれば、訓練装置（１２）は、消火器又は消火器シミュレーター（１８）から受け取られた刺激に応じて、ディスプレイ（１３）上の動的な火炎のディスプレイを変化させるように適合され、消火器シミュレーター（１８）からの適切な刺激を検出するセンサー（１５）の上にあるディスプレイ（１３）上の火炎を「消す」。訓練装置（１２）の操作を、無線又は有線若しくはケーブルを介して装置（１２）と接続することがあるコントローラー（２０）を用いて、訓練をさせる者（１６）により制御することがある。
【００２７】
消火器、消火器シミュレーター（１８）、任意の火災鎮静装置、又は任意の火災鎮静装置シミュレーターを使用して、本発明の複数の観点を実行することができることは理解されるであろう。しかし、以降の説明を容易にするために、消火器、消火器シミュレーター（１８）、任意の火災鎮静装置、任意の火災鎮静装置シミュレーターを意味する場合には、用語「消火器シミュレーター（１８）」を、全体を通して、実質的に使用することがある。「消火器（１８）」への言及は、実際の消火器、消火器シミュレーター、消火ホース、消火ホースシミュレーター、消火ホースノズル、ノズルシミュレーター（例えば、図７〜９に示すノズルシミュレーター）、それらの組み合わせ、又は、機能を実行するか又は実際の火災鎮静装置若しくは消火器の機能の実行をシミュレートするように適合された任意の装置を意味することがあることは理解されるであろう。
【００２８】
図２は、図１に示す消火器訓練装置又は訓練装置（１２）の斜視図である。示すように、訓練装置（１２）には、上部（２６）、底部（２８）、側部（３０）及び背部（３２）を有するハウジング（２４）、例えばシートメタル又は成型プラスチックハウジングが含まれることがある。本発明によれば、訓練装置（１２）には、ハウジング（２４）の前に設けられたディスプレイ（１３）及びセンサーパネル（３４）が含まれる。センサーパネル（３４）には、少なくとも１つのセンサー（１５）が含まれることがあるが、一般的に複数のセンサー（１５）が含まれることがある。訓練装置（１２）には、訓練装置（１２）の操作を調節及び制御するようになされる、ある種の論理及び制御システム（図示せず）、例えば、ディスプレイ（１３）が一般的に含まれることもある。本発明の１つの観点では、訓練装置（１２）には、軽量で持ち運びができ、そして訓練装置（１２）の上部（２６）、側部（３０）又は背部（３２）に設けられた１以上のハンドル（３６）が含まれることができる。
【００２９】
本発明の複数の観点によれば、複数のセンサー（１５）を、消火器（１８）により放出される刺激を検出し、例えば、訓練を受ける者（１４）が消火器（１８）の出力の狙いとなる場所を決定するために、センサー（１５）を備える。例えば、図１及び図２に示す発明の観点において、センサー（１５）は訓練装置（１２）に設けられたが、１つの観点において、消火器（１８）により放出される刺激を検出することができる訓練装置（１２）の周辺部のどこにでも、センサー（１５）を備えることがある。例えば、１以上のセンサー（１５）を訓練装置（１２）から離すことができ、そして１以上のセンサー（１５）を、訓練装置（１２）の周辺部に間隔を置いて配置する、例えば、訓練装置（１２）を含む部屋に間隔を置いて配置することができる。適切な信号操作及び／又は処理を介して、消火器（１８）により放出される信号の相対方向又は地点を決定し、そしてディスプレイ（１３）上の火炎のパターンの適切な変化をもたらすために、リモートセンサーを使用することがある。１以上のセンサー（１５）が、消火器（１８）により放出される任意の刺激を検出することがあり、例えば、消火器（１８）が、電磁スペクトル（例えば、可視光、電波又はマイクロ波）範囲の放射線の波長、圧力波（例えば、音波信号、消火器（１８）により簡単に生じるノイズ、又は訓練を受ける者（１４）若しくは訓練をさせる者（１６）からの音声コマンド）、消火器（１８）により放出される流体（例えば、水、空気−水混合物、二酸化炭素、重炭酸ナトリウム、コーンスターチ等の消火剤）、消火剤をシミュレートする流体、固体（例えば、固体粒子）、そしてそれらの組み合わせを放出し、センサー（１５）がそれらを検出することがある。センサー（１５）により検出することができる電磁スペクトル範囲の放射線のクラスには、紫外線（ＵＶ）、可視、赤外線（ＩＲ）、遠赤外線、マイクロ波、そして無線周波数、そしてこれらの組み合わせが含まれるが、これらに限定されない。本発明によれば、用語「音波(sonic)」には、空気等の媒体中において圧縮波により伝達される任意の刺激、例えば、可聴下音波(infrasonic wave)から可聴音波(audible wave)（約２０〜約２０００Ｈｚ）まで、超音波(ultrasonic wave)までが含まれる。本発明の１つの観点では、センサー（１５）には、超音波センサー(ultrasonic sensor)、村田製作所(Murata Manufacturing Company)により提供される圧電超音波センサー、又はそれらの均等物が含まれることがある。
【００３０】
１つの観点では、センサー（１５）は、可聴指令(audible directive)、例えば、訓練を受ける者（１４）又は訓練をさせる者（１６）からの言語指令を検出するように適合することもできる。可聴指令には、訓練を受ける者（１４）若しくは訓練をさせる者（１６）又は人工音声シンセサイザー／デジタル音声により与えられる口頭／言語指令が含まれるが、これらに限定されないことがある。センサー（１５）又は訓練装置（１２）を、一般的に、電子に基づく指令又は命令、例えばコンピュータ、ミニコンピュータ、若しくは個人用デジタル補助装置（ＰＤＡ）により与えられることができるそれらのものを受信するように適合することもできる。前記圧力波に加えて、１つの観点では、センサー（１５）を、波動パターン、例えば、媒体を進む高圧力及び低圧力領域の繰り返しパターン、例として、消火器等の火災鎮静装置により放出される音声パターン若しくは振動パターンにより提供することができるようなものに適合することがある。
【００３１】
センサー取り付けパネル（３４）に設けられた１以上のセンサー（１５）は、訓練装置（１２）の制御及び論理システムとコミュニケートする。センサー（１５）と制御及び論理システムとのコミュニケーションを、有線又は無線コミュニケーションとすることがある。
【００３２】
本発明は、訓練装置（１２）の論理及び制御システムと直列及び／又は並列に接続することがある、ディスプレイスクリーン又はパネル、例えば、モジュラーディスプレイスクリーン又はパネルを含む。各々のディスプレイパネルには、二次元又は三次元アレイで配列される多数の光源（例えば、同じか又は異なる色となることがある発行ダイオード）が含まれる。１つの観点では、三次元アレイを、複数の二次元アレイにより提供することがある。こうした光源を、訓練装置（１２）の論理及び制御システムにより決定される１以上のシミュレートした火炎発生アルゴリズムに従って、明るくすることがある。図３は、訓練装置（１２）の内部構造を露出するために、フロントパネル（１３）及びセンサーパネル（３４）を取り除いた状態の、図２で示す訓練装置（１２）の正面図である。図４は、図３の断面線４−４に沿って見た場合の、図３に示す訓練装置（１２）の断面図である。図４では、フロントパネル（１３）を、複数のパネル３８及び３９として、分解図で示す。
【００３３】
図３に示すように、本発明の複数の観点によれば、訓練装置（１２）には、少なくとも１つ、一般的には、複数の光源（４０）、例えば、ハウジング（２４）の内部に均一に分布させた、例えば、パネル（１３）の後ろに均一に分布させた複数の光源（４０）が含まれる。別の観点では、パネル（１３）には、光ガイド、ＣＲＴ、モニター（例えば、フラットスクリーンモニター）、又は他のタイプのディスプレイの中で、変化する光のパターンを表示することができる液晶ディスプレイが含まれることがある。光源（４０）は、例えば、従来型の機械的留め具を使用して、ハウジング（２４）に設けられた１以上のパネル（４２）上に設けられていることがある。光源（４０）には、白熱光(incandescent light)、蛍光(fluorescent light)、エレクトロルミネセンス光（すなわち、「ＥＬ」光）、プラズマ光、レーザー、又は発光ダイオード（ＬＥＤ）が含まれることがある。本発明の１つの観点では、パネル（４２）は、プリント回路基板（ＰＣＢ）であることがあり、そして光源（４０）には、ＰＣＢ（４２）に設けられた複数のＬＥＤが含まれることがある。１つの観点では、訓練装置（１２）には、約１から５００万を超える光源（４０）、例えば１以上のＰＣＢに均一に分布されているＬＥＤが含まれることがある。訓練装置（１２）には、約１００〜約１０００００のＬＥＤ、例えば、約５００〜約２０００のＬＥＤが含まれることがある。例えば、１つの観点では、１インチ横及び縦ピッチで均一な間隔で配置された１１×１４ＬＥＤのアレイを、パネル（４２）の上に設けられていることがある。前記パネル１つは、ニューヨーク州メナンズのブルエックスデジタルセイフティー（BullEx Digital Safety of Menands，New York）により供給された品番ＦＰＰ−１であることがある。
【００３４】
図３に示すように、訓練装置（１２）には、訓練装置（１２）の制御及び論理システムを含むハードウェアを含有するＰＣＢ（４４）が含まれる。ＰＣＢ（４４）上の制御及び論理システムは、センサー（１５）からの入力を受信し、そして対応する出力信号を光源（４０）に命令し、ディスプレイ（１３）上に適切な火炎パターンを表示する。制御及び論理システムは、センサー（１５）からの入力から火災制御信号を発生することができ、火災制御信号が、センサー（１５）により検出される刺激に応じて、ディスプレイ（１３）上の動的な火炎を変化させるように適合された。１つの観点では、少なくとも１つの所定のアルゴリズム、例えば火災の種類と関連するアルゴリズム(クラスＡ，Ｂ等)に従って、火災制御信号を変化させることがある。例えば、１以上のコントローラー（２０）又は他の訓練装置（１２）から、ＰＣＢ（４４）上の制御及び論理システムを、外部入力を受信するように適合することがある。ＰＣＢ（４４）上の制御及び論理システムを、発煙器、プリンタ、又は他のディスプレイ等の他の補助装置への直接入力に適合することもある。
【００３５】
本発明によれば、ＰＣＢ（４４）には、センサー（１５）からの信号を受信するインターフェイス、適切な論理及び制御デバイス（４５）、及び光源（４０）とのインターフェイスが含まれることがある。論理及び制御デバイス（４５）には、中央処理装置（ＣＰＵ）、ランダムアクセス記憶装置（ＲＡＭ）、読出し専用メモリ（ＲＯＭ）、内部メモリ記憶装置、ソフトウェア、及び機能アルゴリズム等が含まれることがある。ＣＰＵは、内部プログラミング及びセットパラメータに基づくセンサー（１５）からの入力を解釈し、そして入力に応じて、光源（４０）への出力を自動的に提供する。センサー入力を評価するために使用されるパラメータには、単位時間当たりに受信する入力、総トレーニング時間当たりの入力総数、訓練装置（１２）からの使用者の距離、訓練装置（１２）に対する使用者の位置、消火器（１８）の向き又はねらいの方向等が含まれるが、これらに限定されない。訓練を受ける者（１４）がシミュレートされた火災を消すための正確な技術を使用することを制御ユニットが決定する場合には、出力は自動的に提供される。複数の光源（４０）を、ＰＣＢ（４４）の上か、ＰＣＢ（４２）の上か、又はハウジング２４内のどこかの上に備えられるマイクロプロセッサー(図示せず)により、制御することがある。
【００３６】
訓練装置（１２）には、１以上の電源（４６）が含まれることもあるが、本発明の１つの観点では、電源を、外部手段により、例えば壁付きコンセント又は専用外部電源から供給することがある。電源（４６）には、従来型のバッテリー、例えば、パワーソニック株式会社（Power-Sonic Corporation）により提供される密閉型鉛蓄電池、又はそれらの均等物が含まれることがある。図１及び図３に示すように、ハウジング（２４）には、発生した熱をハウジング（２４）から逃がすことを可能にするための１以上の通気口（２５）が含まれることがある。１つの観点では、ハウジング（２４）には、ハウジング（２４）の内部からの熱の除去を高めるための１以上の冷却ファン（図示せず）が含まれることがある。
【００３７】
図４に示すように、フロントパネル（１３）には、１以上の透明であるか、又は半透明であるパネル（３８）及び（３９）が含まれることがある。本発明によれば、パネル（３８）及び（３９）は、光源（４０）により放出される光の方向を変化させるように、例えば、訓練装置（１２）により提供されるシミュレートされた光ディスプレイのリアリズムを高めるように適合された。光源（４０）により放出された光の経路に対するパネル（３８）及び（３９）の効果は、類似か、又は異なることがある。例えば、１つの観点では、パネル（３８）及び（３９）の両方が光を拡散することがあるか、又は光源（４０）から放出された光を集束することがある。別の観点では、パネル（３８）及び（３９）の効果が異なることがあり、例えば、内部パネル（３９）が光源（４０）から放出された光を最初に拡散し、次に、外部パネル（３８）が、内部パネル（３９）による拡散後、光を更に拡散するか又は発散することがある。１以上のパネル（３８）、（３９）を、所望の火炎ディスプレイ、例えば、３以上か又は５以上のパネルを備えるために使用することがある。パネル（３８）及び（３９）を、ガラス、又は、いくつかあるプラスチックの中でも、例えば、半透明若しくは透明のポリアミド（ＰＡ）、例えば、ナイロン、ポリアミドイミド、ポリエチレン（ＰＥ）、ポリプロピレン（ＰＰ）、ポリエステル（ＰＥ）、ポリテトラフルオロエチレン（ＰＴＦＥ）、アクリロニトリルブタジエンスチレン（ＡＢＳ）、ポリカーボネート（ＰＣ）、又はポリ塩化ビニル（ＰＶＣ）等のビニルのプラスチックから作ることがある。パネル（３８）及び（３９）を、従来の手段により、例えば、機械ファスナーの手段により、ハウジング（２４）に設けられていることがあるか、又はパネル（３８）及び（３９）を、ハウジング（２４）内部の経路、例えば、ハウジング（２４）内部の長い水平的経路（４７）及び垂直的経路（４８）若しくは（４９）を連結することがある。１つの観点では、外部パネル（３８）がポリスチレンパネルであることがあり、そして内部パネル（３９）が、ポリカーボネートパネル、例えば、蛍光のバンク用に一般に備えられているレンズカバーであることがある。
【００３８】
火炎パターンを表示することに加え、ディスプレイ（１３）は、英数字の情報、例えば、訓練を受ける者のパフォーマンス測定データ、現在の訓練トライアル回数、訓練セッティング、訓練を受ける者又は訓練をさせる者の識別、訓練を受ける者の技能レベル、及び訓練をさせる者の技能レベル等を示すこともある。
【００３９】
図５は、本発明の別の観点による、図１に示されるコントローラー（２０）の斜視図である。図６は、図５に示されるコントローラー（２０）の正面図である。上述の通り、１つの観点では、コントローラー（２０）を、訓練装置（１２）のハウジング（２４）の内部か、上か、若しくはハウジング（２４）に設けられていることがあるが、コントローラー（２０）を、訓練装置（１２）の操作を遠隔で制御するために使用することがある。図１に示すように、コントローラー（２０）を、ケーブル若しくは有線（２２）を介して、又は、無線、例えば無線伝送若しくはマイクロ波伝送により、訓練装置（１２）のＰＣＢ４４上の論理及び制御システムと接続することがある。１以上のコントローラー（２０）を備えることがある。少なくとも１つであるが、通常はすべての訓練装置（１２）用のコマンド及び制御パラメータ並びにプログラム選択を、コントローラー（２０）を介して入力することがある。
【００４０】
図５及び図６に示すように、コントローラー（２０）には、ハウジング（５０）、例えば、成型プラスチックハウジング（例えば、ＡＢＳ又はポリカーボネート）が含まれる。ハウジングには、ディスプレイ（５２）、例えば、英数字の液晶ディスプレイ、及び訓練をさせる者入力用の少なくとも１つのボタン又はノブが含まれることがある。例えば、コントローラー（２０）には、訓練装置（１２）を作動し、後続の訓練をさせる者入力用のＰＣＢ（４４）上の論理及び制御システムを初期化するイグニッションボタン（５４）が含まれることがある。コントローラー（２０）には、訓練装置（１２）の操作を制御するアルゴリズムを変化させるための少なくとも１つのノブ（５６）、及びセンサー（１５）により検出される刺激に対する論理及び制御システムの応答が含まれることもある。例えば、ノブ（５６）は、アメリカクラスＡ、Ｂ、Ｃ、Ｄ、若しくはＫタイプの火災、及び／又はヨーロッパクラスＡ、Ｂ、Ｃ、Ｄ、Ｅ若しくはＦタイプの火災の一般的な火炎をシミュレートするための制御アルゴリズムを変化させることがある。コントローラー（２０）には、訓練装置（１２）の操作を制御するアルゴリズムを変化させるための少なくとも１つのノブ（５８）、及び訓練を受ける者のパフォーマンスのレベルに対する論理及び制御システムの応答（例えば、初心者をレベル１の消火器訓練アルゴリズムにさらすことがある一方で、経験豊富な消防士をレベル４のアルゴリズムにさらすことがある）が含まれることもある。数ある中で、訓練時間の長さ、訓練を受ける者又は訓練をさせる者の名前、及び訓練を受ける者個人データを入力するために、他の訓練をさせる者入力を備えることもある。コントローラー（２０）には、一般的には、数あるデバイスの中で、ＣＰＵ、ＲＡＭ、ＲＯＭ、及び内部メモリ記憶デバイスが含まれることがある。
【００４１】
ディスプレイ（１５）上に表示されるシミュレートされた火炎の１以上の属性を制御するために、コントローラー（２０）を適合することがある。例えば、コントローラー（２０）及びＰＣＢ（４４）上の論理及び制御システムを、種々のタイプの火災（例えば、クラスＡの火災、クラスＢの火災、クラスＣの火災等）のシミュレーションを表示し、そして制御するように適合することがある。調整されることがある各々のタイプの属性には、火炎の形状、火炎の高さ、火炎の容積、燃焼速度、消火の容易さ、フラッシュオーバー、視覚効果、及びそれらの組み合わせが含まれるが、これらに限定されない。種々のあらかじめプログラムされたアルゴリズム又はシナリオの選択を介して、他のパラメータの制御を、訓練装置（１２）の論理及び制御システムにプログラムすることもある。
【００４２】
訓練装置（１２）が、数ある装置の中でも、他の装置、例えば、他の訓練装置（１２）、コントローラー（２０）、及び補助装置とコミュニケートすることを可能にするために、コントローラー（２０）及びＰＣＢ（４４）上の論理及び制御システムには、１以上の拡張ポートが含まれることがある。データ変更、パラメータ変更及びプログラミング変更等を、訓練装置（１２）とインターフェイスされている、コントローラー（２０）及びＰＣＢ（４４）及び任意の装置の間で、受信及び送信することがある。ＰＣＢ（４４）上の論理及び制御システムには、例えば、一時記憶デバイス又はフラッシュメモリー素子を接続するための、インターフェイスポート、例えば、ＵＳＢポート、ピンポート、ジャック等が含まれることがある。前記デバイスには、フラッシュドライブ、外部メモリ記憶デバイス及び転送デバイス等が含まれるが、これらに限定されない。
【００４３】
コントローラー（２０）及びＰＣＢ（４４）上の論理及び制御システムには、訓練装置（１２）が、使用者のパフォーマンス、現在の訓練トライアル回数、訓練セッティング、訓練を受ける者の識別、訓練をさせる者の識別、訓練を受ける者の技能レベル及び訓練をさせる者の技能レベル等の情報を、ディスプレイ又は手持形制御装置以外の媒体へコミュニケートすることを可能にするコミュニケーションポートが含まれることがある。前記媒体には、プリンタ、他のコンピュータ端末、スコアボード、及び電子掲示板、携帯情報端末（ＰＤＡ）等の他の手持形装置、携帯電話、ブラックベリータイプ装置、及びそれらの組み合わせが含まれるが、これらに限定されない。
【００４４】
ＰＣＢ（４４）上の論理及び制御システムは、典型的に、光源（４０）と関連したシミュレートした火炎発生ユニットと通信もする。シミュレートした火炎発生ユニットは、ＰＣＢ（４４）上の論理及び制御システムから受信したコマンドに応答して、光源（４０）の通電(energizing)を制御する。論理及び制御システムは、有線又は無線を介して、シミュレート火炎発生ユニットと通信することがあるが、１つの観点では、例えばハードウェアの単体として、ＰＣＢ（４４）上にシミュレート火炎発生ユニットを設けられていることもある。
【００４５】
本発明の１つの観点は、典型的に生じることがある洗浄及び危険な状態とはならない、実際の消火器を放出する視覚、音声、及び／又は触覚の効果をシミュレートする火炎鎮静装置である。装置は、実際の消火器の重量、形状、機械的な動き及び慣性等の物理的特性をシミュレートすることがある。装置は、使用者が実際の消火器を使用している場合に使用者が消火しているところを見ることを使用者が可能にする物質を投影する錯覚を、投影し又は作り出すことができるようなシミュレートされた放出能力を組み込むこともある。
【００４６】
本発明の１つの観点では、訓練装置（１２）内のセンサー（例えば、センサー（１５））によって検出可能な刺激を放出することができる任意の放出装置又は送信機を備えることがある。この送信機は分離した個々の送信機であることがあり、火災鎮静装置の使用をシミュレートするための火災鎮静装置に設けられているか又は操作可能なように適合されたことがある。１つの観点では、送信機を設けられていることがある火災鎮静装置には、消火器、シミュレートされた消火器、消火ホース、シミュレートされた消火ホース、ホース、シミュレートされたホース、又はそれらの組み合わせが含まれる。用語「操作可能なように適合」とは、例えば、火災鎮静装置の使用者が送信機を稼動できるような火災鎮静装置に、送信機を構成するか又は設けられていることがあることを意味する。別の観点では、任意の前記火災鎮静装置に、送信機を組み込むことがある。火災鎮静装置への送信機の組み込みは、消火器又は消火ホースへの組み込みに限定されないが、火災鎮静装置の任意の部分への組み込みを含むことがある。例えば、従来の手段によって、例えば、数ある手段の中でも、機械的ファスナー、溶接、スナップ嵌めによって、又はのり、エポキシ樹脂、接着テープ等の接着剤によって、火災鎮静装置へ送信機を設ける（例として、着脱可能に設ける）ことがある。本発明の１つの観点による火災鎮静装置へ組み込まれる送信機を提供する１つの手段を図７〜図９に図示する。
【００４７】
図７は、本発明の別の観点によるノズルシミュレーター（６０）の斜視図である。ノズルシミュレーター（６０）は、例えば、消火器の適切な使用における安全の専門家の訓練を助けるために、訓練装置、例えば、図１から図４において示される訓練装置（１２）によって感知可能である刺激を放出するために機能する。図８は、図７に示すノズルシミュレーター（６０）の平面図であり、そして、図９は、図８の断面線９−９に沿って見た場合の、図８に示すノズルシミュレーター（６０）の断面図である。ノズルシミュレーター（６０）には、ハウジング（６２）及びアクチュエーター（６４）、例えば、従来型の消防用ホースノズル及びアクチュエーター、例えば、タスクフォースチップス株式会社（Task Force Tips, Inc.）により提供されるクアドラ（Quadra）噴霧ノズル又はその均等物の外観を模倣するために置かれて形作られた、レバーアクチュエーターが含まれる。シミュレーターハウジング（６２）には、実際の消火ホースノズルの外観を更にシミュレートするために、六角ナット型構造（６３）が含まれることがある。１つの観点では、消火ホースを提供しないことがあるが、シミュレーター（６０）には、消火ホース（６６）の長さ（ファントム内で図示する）が含まれることもあり、そして消火ホース（６６）を、水が充満しているホースをシミュレートするために重みを付けることがある。本発明の観点によれば、シミュレーター（６０）は、水又は難燃剤を放出しないが、訓練装置、例えば、図１〜図４に示される訓練装置（１２）により検出することができる刺激、例えば、電磁放射又は圧縮波（例えば、超低周波音、可聴音、又は超音波）を放出するように適合された。
【００４８】
図７〜図９に示すように、シミュレーター（６０）のハウジング（６２）には、さらに、従来型の消火ホースノズルをまねる、円筒部（６８）及び円錐部（７０）が含まれることがある。ハウジング（６２）は、金属、例えば、真鍮若しくは鋼、又はプラスチック（例えば、前述の列挙した１以上のプラスチック）であることがある。しかし、従来型の消火ホースノズルと異なり、シミュレーター（６０）には、アクチュエーター変換器（７２）及びアクチュエーター（６４）によるアクチュエーター変換器（７２）の作動に対して信号を放出するように適合された少なくとも１つの送信機（７４）が含まれる。例えば、変換器（７２）は、ポテンシオメーター（ポテンシオメーターの抵抗がアクチュエーター（６４）の動きにより変動し、これによって、電気信号（例えば、４〜２０ｍＡの信号又は０〜１ＶＤＣの信号）を、ケーブル若しくは有線（７５）を介して、１以上の送信機（７４）に送信し、作動する）であることがある。ハウジング（６２）の円錐部（７０）内に設けられていることがあるプレート（７７）内に、送信機（７４）を設けることがある。変換器（７２）は、有線若しくはケーブル（７６）、例えば、外部電源又は１以上の内蔵電池（７８）からの電力を受け取ることがある（図９参照）。
【００４９】
１以上の送信機（７４）は、電磁エネルギー送信機、例えば、ラジオ若しくはマイクロ波送信機、又は圧縮波送信機（例えば、超低周波音、可聴音、若しくは超音波送信機）であることがある。６つの等間隔の送信機（７４）を図７に示しているが、１以上の送信機を使用することがあり、例えば３つ以上の等間隔の送信機を使用することがある。１つの観点では、１以上の送信機は、ムラタにより提供された圧電超音波送信機、又はその均等物であることがある。
【００５０】
本発明の別の観点には、実際の消火剤を含む物質、実際の消火剤をシミュレートするであろう任意の物質、又は実際の消火剤の刺激特性を放出することがある少なくとも１つの改良した火炎鎮静装置が含まれる。シミュレートされた若しくは実際の消火剤には、空気等のガス、空気と水蒸気との混合物、市販の「タバコ」製品、ほこり若しくは粉等の固体、又は任意の他の目に見える液体が含まれることがある。混合物を使用する場合、成分用の貯蔵タンク若しくは容器からの混合物の成分の排出の前か、その間か、若しくはその後での任意の時点において、混合物を予め混合するか、又は混合することがある。加圧空気若しくはポンピング装置等の複数のメカニズムにより、消火器若しくはシミュレートされた消火器からの消火剤の放出が引き起こされる。１つの観点では、消火剤が空気と水との混合物を含む場合、水源を提供するために水の容器を備えることがある。液体又は蒸気として、水は提供されることがある。使用者が消火器ハンドル、サイホンメカニズム、又はポンピングメカニズムを圧縮する場合、加圧ホース、自己加圧タンク、加圧空気を使用して、水を運ぶことがある。火災タイプ用のアメリカクラスＡ、Ｂ、Ｃ、Ｄ、若しくはＫタイプの消火器及び／又はヨーロッパクラスＡ〜Ｆタイプ消火器の中から選択するための使用をシミュレートする、複数の火炎鎮静装置、例えば、消火器を使用することがある。こうした消火器のシミュレートした効果は、シミュレートされる火災のタイプ、及び使用される消火器のタイプの働きである。
【００５１】
図１０は、使用者若しくは訓練を受ける者（１１４）及び／又は進行役若しくは訓練をさせる者（１１６）により使用される、本発明の１つの観点による、１以上の消火器訓練装置（１１２）を有するシステム（１１０）としての、図１と同様の模式的な説明のための斜視図である。図１で示されるシステム（１０）と異なり、システム（１１０）には、動的な火炎を図示する複数のディスプレイ（１１３）及び複数のセンサー（１１５）を備える、複数の訓練装置（１１２）が含まれる。複数の訓練装置（１１２）を、相互に隣接させるか、又は相互に距離を取り、例えば、別室において、若しくは隔てて離れた場所において配置することがある（そして、インターネット又はいくつかの他の有線若しくは無線通信システム上でコミュニケーションを取ることがある）。本発明によるこの観点によれば、訓練を受ける者（１１４）は、例えば、図７〜図９に示すノズルシミュレーター（６０）を有する消火器又は消火器シミュレーター（１１８）を操作し、複数の訓練装置（１１２）へ消火器（１１８）を向けて、そしてセンサー（１１５）により検出可能な刺激を放出する。さらに、消火器（１１８）により放出され、そしてセンサー（１１５）により検出可能な刺激は、上で述べた通りの、電磁刺激物、圧縮波、音波、固体、又は液体であることがある。本発明の観点によれば、訓練装置（１１２）は、図１〜図４について示し、述べた訓練装置（１２）のすべての特徴及び特性を含むことがある。無線、又はケーブル（１２２）、接続箱（１２３）、及びケーブル（１２４）を介して、訓練装置（１１２）とインターフェイスすることがある１以上のコントローラー（１２０）手段によって、訓練をさせる者（１１６）により、システム（１１０）の操作を制御することがある。１つの観点では、複数の訓練装置（１１２）の代わりに、１以上の訓練装置（１１２）は、複数のディスプレイ（１１３）と通信することがある。別の観点では、訓練装置（１１２）のディスプレイ（１１３）は、例えば、１以上の壁又は部屋の天井を囲繞する、単一の大型ディスプレイを含むことがある。
【００５２】
本発明の１つの観点によれば、システム（１１０）（又は、図１のシステム（１０））には、訓練体験の現実感を高めるための付属設備、例えば、発煙器、  音を発生させる装置（例えば、包まれた部屋の音声、捕らえられた被害者の叫び声、又は避難ホーン等の避難警報を出す）、さらに照明効果、又は訓練体験を高める他の特別な効果が含まれる。例えば、図１０に示すように、システム（１１０）には、１以上の発煙器（１５０）が含まれることがある。図１０に示すように、発煙器（１５０）等の付属装置は、無線、又は接続箱（１２３）及びケーブル（１２６）を介して、システム（１１０）とインターフェイスすることがある。
【００５３】
図１１は、例えば、図１及び図１０において示されるシステム（１０）及びシステム（１１０）それぞれの、本発明の観点による、ハードウェア操作の模式的なフローチャート（２００）である。図１１に示すように、システム（１０）及びシステム（１１０）の基本的な要素は、複数のセンサー（２０５）（例えば、超音波センサー）、１以上のプロセッサー（２１０）（例えば、デジタル信号処理（ＤＳＰ）を実施するマイクロコントローラー）、そして（例えば、複数の均等な間隔の発光ダイオード若しくは他の光源（２２０）を有する）シミュレートされた火炎ディスプレイ（２１５）である。典型的な本発明の観点のように、プロセッサー（２１０）は、センサー（２０５）により検出可能な刺激及び１以上の所定のアルゴリズムに応答するディスプレイ上のシミュレートされた火炎を変化させるための、従来型のフィードバック制御ループ、例えば、比例-積分-微分（すなわち、ＰＩＤ）制御ループを実施することがある。本発明に拡張を提供するために、付加的な装置を用いて、こうした装置を強化することがある。
【００５４】
例えば、フローチャート（２００）には、通信リンク（２０４）を介して、プロセッサー（２１０）とインターフェイスすることがあるコントローラー（２０２）が含まれる。コントローラー（２０２）には、前記コントローラー（２０）及び（１２０）等のコントローラーが含まれ、そしてコントローラー（２０）及び（１２０）の属性及び特性のすべて、例えば、訓練をさせる者の入力及び訓練を受ける者のパフォーマンスの出力が含まれることがある。通信リンク（２０４）は、従来型の通信リンク、例えば、ＲＳ−４８５変換器及びケーブル、又は無線通信を望む場合には、リンクス無線ラジオトランシーバーモジュール、又はそれらの均等物であることがある。
【００５５】
フローチャート（２００）には、付加的なシステムとインターフェイスするオプション、又は（例えば、１以上の他のコントローラー（２０２）若しくはプロセッサー（２１０）にリンクする）通信リンク（２０４）を介するコントローラー（２０６）も含まれる。
【００５６】
センサー（２０５）により送信される信号を増幅することがあるか、又はさもなければプロセッサー（２１０）に送信されるよりも前にプロセッサー信号（２０８）により処理することがある。プロセッサー信号（２０８）には、センサー（２０５）により受信し、送信される信号の周波数フィルタリング、位相フィルタリング、増幅が含まれることがある。プロセッサー信号（２０８）には、市販のプロセッサー又は個別部品、例えば、テキサス・インスツルメンツにより提供されるＴＬ０８４オペアンプ等のオペアンプ等、又はそれらの均等物が含まれることがある。
【００５７】
スクリーン又はディスプレイコントローラー（２１２）、例えば、マイクロコントローラーを介して、プロセッサー（２１０）からの出力をディスプレイ（２１５）へ送信することがある。本発明の１つの観点では、コントローラー（２１２）を、プロセッサー（２１０）と関連させるか、若しくは一体化させるか、又はディスプレイ（２１５）と関連させるか、若しくは一体化させることができる。コントローラー（２１２）には、モトローラにより提供される５６８００シリーズマイクロコントローラー／ＤＳＰハイブリッドコントローラー、又はその均等物が含まれることがある。ディスプレイ（２１５）には、光源（２２０）、例えば、発光ダイオードの操作をドライブするために、１以上のシフトレジスタードライバー（２１４）が含まれることがある。
【００５８】
図１１に示すように、補助入力及び出力デバイス（２１６）を、プロセッサー（２１０）を介して、システムにインターフェイスすることもある。例えば、（図１０に示すような）発煙器、デジタル保存デバイス、記憶デバイス、拡張ポート、及び入力及び出力デバイス（例えば、ディスプレイ又はプリンタ）を含むことがある。
【００５９】
本発明の１つの観点によれば、訓練装置（１２）又は（１１２）の論理及び制御システムには、少なくとも１つの比例制御ループ、積分、及び微分制御ループ（すなわち、ＰＩＤ型制御ループ）を含む制御のフィードバック制御ループスタイルが含まれることがある。制御ループの出力は、ディスプレイ（１３）又は（１１３）の所定の領域（例えば、発光ダイオードの所定のアレイ又はカラム）用のシミュレートされた火炎の種々の強度を表すことがある。例えば、制御ループからの３０％の出力レベルは、ディスプレイ（１３）の任意のマッピング(mapping)に相当する（例えば、発光ダイオードアレイ内の１以上のカラムにおける３０％の発光ダイオード）可能性がある。例えば、１つの観点では、３０％の制御出力レベルは、クラスＢ火災シミュレーション用の１０％のシミュレートされた火炎レベルに相当することがある。論理及び制御システムの制御ループへの入力は、典型的には、少なくとも１つの１以上のセンサー（１５）又は（１１５）からの入力、信号処理システムからの入力、外部コントローラー（２０）又は（１２０）からの入力、訓練を受ける者（１４）、（１１４）又は訓練をさせる者（１６）、（１１６）からの入力、消火器（１８）、（１１８）からの刺激、又は装置（１２）内において、若しくは装置（１２）の周辺部において、作動している別の制御ループからの入力であることがある。論理及び制御システムには、出力が、本発明がシミュレートされた火炎を消火していることを考慮しなければならないところを決定する、制御ループ用の終点が含まれることがある。例えば、２０％の制御出力終点がクラスＡ火災に消火されたと考慮させるために設定されることがあるか、又は２％の制御出力終点がクラスＢ火災に消火されることを要求するように、こうした終点を使用することがある。他の終点値を、他のクラス火災シミュレーション、又は他の火炎シミュレーションに提供することがある。１以上の制御設定用の係数は、例えば、火災の種々のクラス、変動する訓練の難しさ、又はシミュレーションパラメータを表すために、動的に変化させることがある。１つの観点では、火災の種々のクラスの動力学及び応答は、種々のＰＩＤループ及び出力／入力マッピングにより特徴付けられる可能性がある。例えば、使用者を訓練し、火災の種々のクラスの特性に使用者自身を親しませることを可能にするためのシミュレートされた火災を発生するために使用される制御ループ設定及びマッピングを、論理及び制御システムは、変化又は変化させることができる。消火剤及び自然成長、並びに煙のパラメータ等への、こうした火災の種々のクラスの特性及び応答は、典型的には、公知であり、そして所望の論理及び制御システムに組み込むことができる。
【００６０】
本発明の１つの観点によれば、携帯型の消火器訓練装置を備え、そして、携帯型の消火器訓練装置を下記の方法で操作することがある。以下の考察は、図１に示すシステム（１０）を参照することがあるが、他の図の他の観点を、本発明の説明を容易にするために参照することがある。最初に、訓練装置（１２）を作動するために、例えば、図６及び図７に示すイグニションスイッチを押し込むことにより、コントローラー（２０）を使用することがある。次に、訓練装置（１２）における論理及び制御システムは、使用者に、コントローラー（２０）内のディスプレイ（５２）若しくはディスプレイ（１３）を介して、訓練セッションにおいて使用されるパラメータ若しくはテストプログラムを選択するよう促す。使用者は、訓練を受ける者（１４）又は訓練をさせる者（１６）であることがある。この例としては、訓練を受ける者（１４）が使用者であり、そして訓練をさせる者（１６）が訓練セッションを実行する。コントローラー（２０）又はディスプレイ（１３）を介して選択することがあるパラメータには、データ、時間、訓練を受ける者の識別、訓練をさせる者の識別、訓練を受ける者の経験、使用される刺激（例えば、超音波又は放射線）、火炎の高さ、燃焼速度、訓練時間、入力感度、火災又は消火器のタイプ（すなわち、Ａ、Ｂ、Ｃ等）、及び所望の難易度等が含まれるが、これらに限定されない。１つの観点では、適切なソフトウェア、識別コード、若しくは論理システムを有するコミュニケーションポートを介して、ＰＣＢ４４上の論理及び制御システムとのコミュニケーションの任意のデバイスは、訓練を受ける者若しくは訓練を受ける者インプットを提供するか、又は訓練セッションを実行することができることがある。
【００６１】
本発明の１つの観点によるこの代表的な訓練セッションでは、訓練を受ける者（１４）により使用される消火器（１８）には、変換器（７２）及び１以上の超音波の送信機（７４）を有する、図７〜図９で示されるホースノズルシミュレーター（６０）が含まれる。例えば、図１０に示すように、シミュレーター（６０）を、水が充満している火災ホースに設けることがある。一方、別の観点では、訓練を受ける者（１４）は、実際の完全に荷電した火災消火器を操作することがあり、そして、消火器レバーを押し込む場合に、消火剤の吐き出しの結果として生じるノイズは、訓練装置（１２）上のセンサー（１５）により検出可能な刺激を備えることができる。
【００６２】
訓練をさせる者（１６）は、ハンドヘルドコントローラー（２０）に適切なコマンドをインプットすることにより、訓練セッションを開始することがあり、そして、コントローラー（２０）は、所望のプロトコルアルゴリズムによるディスプレイ（１３）上にシミュレートされた火炎を着火するために、訓練装置（１２）の論理及び制御システムへ信号を送る。訓練をさせる者（１６）が、消火を開始するために、訓練を受ける者（１４）に合図をする（例えば、視覚信号若しくは音響信号、又はディスプレイ（１３）上でのカウントダウン）場合、訓練を受ける者（１４）の実際の訓練が開始することがある。次に、訓練を受ける者（１４）は、シミュレーター（６０）を有する消火器（１８）を手に取り、送信機（７４）の操作を実施する消火器シミュレーターレバー（６４）を回転し（場合により、訓練を受ける者（１４）は、実際の消火器のピンを引くことがある）、そして訓練装置（１２）に向かって、消火剤をシミュレートする超音波信号を送信する。別の観点では、送信機（７４）を使用しないことがあるが、放出する消火剤の方向性ノイズは、訓練装置（１２）に向けられる刺激を提供する。訓練を受ける者（１４）が、ディスプレイ（１３）上のシミュレートされた火炎にシミュレーター（６０）のねらいをつける時に、送信機（７４）は、実際のノズルが向けられている実質的に同じ方向に信号を放出する。別の観点では、消火器（１８）により放出された刺激を、所望の方向には刺激を提供しないが、実質的に他のあらゆる方向に刺激を提供することにより、特徴付けることがある。例えば、消火器（１８）は、実質的に全体のディスプレイ（１３）を「明るく（ｉｌｌｕｍｉｎａｔｅ）」（すなわち、任意の電磁放射の形）することがあるが、消火器（１８）の方向の地点又は接触の地点を明るくしない。従って、得られる火炎パターンを検出し、表示するために、訓練装置（１２）のセンサー及び論理及び制御システムを備えることがある。
【００６３】
１つの別の観点では、シミュレートされた火災を消すために、訓練を受ける者（１４）は、火炎ディスプレイの底部に、例えば、センサー（１５）の方向に消火器（１８）を向け、そして横方向の動きで前後に、消火器（１８）を動かす。この前後の動きは、現実の緊急事態での火災を消すために使用される１つのテクニックであり、そして、この実施例では、この特定の訓練セッション用にプログラムされるテクニックである。消火器（１８）を、前記テクニックを使用して、横方向の動きで前後にさっと動かす時、送信機（７４）により放出される信号は、訓練装置（１２）上のセンサー（１５）と接触する。センサー（１５）は、送信機（７４）により送信される超音波信号を検出し、入力、送信された信号をセンサー（１５）により受信する、ＰＣＢ４４上の論理及び制御システムにコミュニケートすることがある。論理及び制御システムの論理システムは、内部プログラミング及びセットパラメータに基づくセンサー（１５）からの入力を解釈し、センサー入力に応じて、出力を自動的に提供する。入力を評価するために使用されるパラメータには、単位時間当たりに受信される入力、総訓練時間当たりの入力総数、及び訓練装置（１２）からの使用者の距離等、又は波形形状、大きさ、若しくは頻度が含まれることがあるが、これらに限定されない。訓練を受ける者（１４）が、シミュレートされた火炎を消すために、正しいテクニックを使用することを、訓練装置（１２）の制御ユニットが決定する場合には、ディスプレイ（１３）上に表示される「火炎」の大きさを減少する、例えば、１以上の発光ダイオードの電源を切ることにより、火炎を減少するために、火炎ディスプレイコントローラーに自動的に出力を提供する。訓練を受ける者（１４）は、訓練装置（１２）の制御システムにロードされる現在の消火テクニックを使用し続ける場合には、制御システムは入力を受信し続け、そして、それに応じて出力を自動的に提供し続け（すなわち、シミュレートされた火炎コントローラーに、火炎の大きさを減少するようにコマンドする）、そして最終的に、火炎シミュレーションを完全に止めるようになる。本発明の別の観点によれば、この操作のモードは、訓練を受ける者（１４）に、彼若しくは彼女の訓練パフォーマンスについての即時の定性的なフィードバックを提供する。訓練を受ける者（１４）が正しい消火テクニックを使用する場合には、シミュレートされた火炎は、大きさを減少するようになり、そして最終的に、消されるようになる。
【００６４】
本発明の観点によれば、訓練を受ける者（１４）が正しい消火テクニックを使用する場合、訓練装置（１２）の論理及び制御システムは、火炎の大きさを減少しないために、火炎制御システムを指示するようになるが、訓練を受ける者（１４）が適切なテクニックを使うまで、火炎の大きさを実際に増加する（例えば、より多くの発光ダイオードに電圧を加える）ことがある。訓練セッション中に、訓練を受ける者（１４）が訓練装置（１２）の底部に消火器（１８）を向け、そして横方向の動きで前後に、消火器（１８）を動かす場合、シミュレーターノズル（６０）により放出される超音波信号がセンサー（１５）と接触しないことがあるか、又は超音波信号がすぐにセンサー（１５）とただ接触するだけのことがあるか、又はセンサー（１５）により受信される入力が適切なテクニックの適切な波情報の反映を含まないことがある。このような場合では、制御システムは、訓練を受ける者（１４）が火炎を消すために正しくないテクニックを使用していることを決定することがあり、そして制御システムは、表示される火炎の大きさを維持するか若しくは増加するために、火炎コントローラーを命令することがある。訓練を受ける者（１４）が正しくない消火テクニックを使用し続ける場合、制御システムは入力を受信し続け、そしてそれに応じて出力を自動的に提供し続ける（すなわち、訓練を受ける者（１４）が正しいテクニック使用するまで、火炎ディスプレイコントローラーに、実際に同じ大きさか若しくは最大の大きさの火炎をシミュレートするようにコマンドする）。
【００６５】
訓練セッション中か又はその後、訓練装置（１２）は、訓練を受ける者（１４）及び／又は訓練をさせる者（１６）に出力を提供することがある。この出力は、コントローラー（２０）上か、又はディスプレイ（１３）上に表示することがあり、そしてこの出力には、訓練を受けている訓練を受ける者（１４）のパフォーマンス測定値、例えば、数ある中でも、全訓練を受ける者パフォーマンススコア、訓練終了時間、パフォーマンス履歴、残留消化剤、照準精度、クリアした難易度、及び上達パーセントが含まれる。コントローラー（２０）及び／又はディスプレイ（１３）上に出力を表示することに加えて、パフォーマンスデータを、訓練装置（１２）と有線又は無線でコミュニケートする任意の利用可能な出力装置上に表示することがある。前記出力装置には、プリントアウト、電子メール、テキストメッセージ、スコアボードディスプレイ、電子掲示板、及び携帯情報端末（ＰＤＡ）、携帯電話、ブラックベリータイプ装置等の他のハンドヘルド装置、並びにそれらの組み合わせが含まれるが、これらに限定されない。
【００６６】
本発明の１つの観点では、訓練を受ける者（１４）は、他からの助けなしで、例えば、訓練をさせる者（１６）の助けなしで、訓練セッションを行うことがある。１つの観点では、訓練装置（１２）だけにより（すなわち、適切な指示を訓練を受ける者（１４）に、例えば、ディスプレイ（１３）を介して、又は可聴式の指示を通じて、提供することにより）、訓練セッションを行うことがある。訓練装置（１２）の論理及び制御システムには、いくつかの知能が含まれることがあるが、これによって、訓練を受ける者（１４）を、別の人間の訓練をさせる者（１６）による入力をしないで、訓練セッションを通じて、指示することがある。
【００６７】
人間の訓練をさせる者（１６）による助けであろうと、訓練装置（１２）それ自体による助けであろうと、本発明の１つの観点では、少なくとも３つの操作モードを備え、訓練を受ける者（１４）は、（１）指示(instruct)モード、（２）テスト(test)モード、（３）競争(compete)モードで訓練することがある。指示モードの場合、訓練をさせる者（１６）又は訓練装置（１２）は、消火器の使用の仕方を訓練を受ける者（１４）に指示する。コマンド、例えば、訓練を受ける者（１４）により与えられる音声指示、又はスピーカー、又は訓練装置（１２）の音声合成装置、又はディスプレイ（１３）上に備えられる視覚コマンドは、訓練を受ける者（１４）を指示することがある。あるいは、論理及び制御システムは、指示ドキュメントを印刷し、そして分離モニター、テレビ又は大型スクリーンディスプレイを表示する等により、訓練を受ける者（１４）を指示することがある。例えば、訓練を受ける者（１４）は、消火器からピンを引くために、訓練を受ける者（１４）に示す制御システムからか、又は訓練をさせる者（１６）から、コマンド「引く（Ｐｕｌｌ）」が聞こえる。次に、訓練をさせる者（１６）又は制御システムは、コマンド「ねらい（Ａｉｍ）」を訓練を受ける者（１４）に要求することがあり、次に訓練を受ける者（１４）は、消火器（１８）のノズル／ホースを、シミュレートされた火炎の下の、訓練装置（１２）、例えば訓練装置（１２）の底部に向ける。次のコマンドは、「強く握る（Ｓｑｕｅｅｚｅ）」となることがあり、前記コマンドは、消火剤の排出、又は刺激の放出を始めるために、消火器レバー／アクチュエーター／リリースを強く握るように訓練を受ける者（１４）に指示するようになる。さらなるコマンドは、「さっと動かす（Ｓｗｅｅｐ）」となることがあり、訓練を受ける者（１４）は、シミュレートされた火炎を消そうとして、消火器（１８）を前後にさっと動かすために指示される。本発明の別の観点では、コマンド／指示には、火災を消すための適切な消火器の選択の仕方に関する指示、又は火を消し、そして訓練エリアを避難するには危険すぎる場合に訓練を受ける者（１４）に勧める指示が含くまれることを予想することが可能である。こうした指示及び他の指示を、人間の訓練をさせる者（１６）によるか、又は訓練装置（１２）の制御システムにより自動的に備えることがある。
【００６８】
訓練装置（１２）の操作の別のモードは、「テスト」モードとなることがある。テストモードでは、訓練装置（１２）によりシミュレートされる火災を制御するか、若しくは消すための彼若しくは彼女の能力に関して、訓練を受ける者（１４）を試験し、評価することがある（例えば、所定のプロトコル（例えば、クラスＣ火災に相当する）に従って操作する場合である）。テストモードでは、訓練をさせる者（１６）が存在することがあるか、又は存在しないことがある。訓練装置（１２）を操作する第３モードは、「競争」モードであることがある。競争モードでは、複数の訓練を受ける者（１４）が、１以上の訓練装置（１２）で競争することがあり、そして論理及び制御システムにより、計算され、記録され、そして保存される彼らのパフォーマンスデータを有する。その後、例えば、セッション中か又はその後、どの訓練を受ける者のパフォーマンスがより優れていたか、（例えば、どの訓練を受ける者のパフォーマンスが最も高い得点だったか）を決定するために、２人以上の訓練を受ける者（１４）のパフォーマンスデータを比較することができる。訓練装置（１２）の操作の他のモードを、イメージすることもある。
【００６９】
本発明の別の観点では、シミュレートされた「燃える部屋（burn room）」訓練をさせる者を提供することがあり、すなわち、例えば、部屋内の１以上の火災の消防士の取り扱いの訓練をシミュレートするために、部屋又は囲繞したような部屋内に、１以上の訓練装置（１２）を配置することがある。本発明のこの観点を、図１２に示すシステム（３１０）を参照して、最も容易に図示する。
【００７０】
図１２は、図１１に示すシステム（１１０）と類似のシステム（３１０）を図示するが、前記訓練装置（１２）のすべての機能及び特性を有することがあるが、さらに後述の改良を有することがある、１以上の訓練装置（３１２）を含む改良した訓練装置を有する。図１２に示すように、訓練を受ける者（３１４）（保持型消火器（３１８））及び訓練をさせる者（３１６）は、装置と１以上のコントローラー（３２０）との適切なコミュニケーション（例えば、有線又は無線）を用いて、１以上の部屋内に配置することがある２以上の訓練装置（３１２）を操作することがある。訓練装置（３１２）には、設計及び機能がディスプレイ（１３）と類似することがあるディスプレイ（３１３）が含まれ、そして設計及び機能がセンサー（１５）と類似することがあるセンサー（３１５）が含まれることがある。１つの観点では、数ある中でも、消火器（３１８）のねらいの方向を検出し、そして表示する手段、装置（３１２）（例えば、ディスプレイ（３１））上に消火器（３１８）により放出される刺激の周辺部若しくは地点、又は訓練装置（１２）からの消火器（３１８）の距離を検出し表示する手段を提供するために、訓練装置（３１２）を前記訓練装置（１２）から改良することがある。１つの観点では、装置（３１２）の改良には、更なる検出装置（３１６）（図１２参照）の付加、プログラミング、及び接触の方向若しくは地点を表示することができる光源が含まれることがある。例えば、１以上のセンサー（３１６）を、ディスプレイ（３１３）の中か、後ろか、若しくは前に、例えば、均一な間隔で分布して設けることがある。ディスプレイ（３１３）と関連するこれらのセンサー（３１６）は、例えば、訓練装置（１２）のディスプレイ（１３）より下のセンサーパネル（３４）に向かう刺激の代わりに、ディスプレイ（３１３）に向けられる消火器（３１８）からの刺激を検出することがある。本発明のこの観点によれば、刺激の存在（例えば、１以上の前記刺激）を検出し、検出される刺激に相当する信号を訓練装置（３１２）のＰＣＢ（４４）上の論理及び制御システムに送信し、そして、適切なデータ解析を通じて、ディスプレイ（３１３）上の刺激の衝撃の地点若しくは周辺部を決定するようにセンサー（３１６）は適合された。さらに、１つの観点では、刺激の衝撃の地点又は周辺部を表示するために、ディスプレイ（３１３）を改良する。
【００７１】
１つの観点では、ディスプレイ（３１３）には、例えば、図３に示す光源（４０）のアレイに加えて、光源の第２アレイが含まれる。光源の第２セットのこの配置を、図１３に示す。図１３は、図３に類似する図であるが、図３に関して前記光源（４０）と類似することがある、第１光源（２４０）と異なる、光源（３４０）の第２セットを有する。例えば、第１光源（２４０）は、ある1つの色を含むことがあり、そして第２光源（３４０）は、光源（２４０）の色と異なる、別の色を含むことがある。すでに述べたように、光源（２４０）及び（３４０）は、白熱、蛍光、ＥＬ光、レーザー及びプラズマ光等であることがあるが、１つの観点では、光源は、発光ダイオードであることがある。本発明のこの観点によれば、光源（３４０）を、ディスプレイ（３１３）上の刺激の衝撃の地点又は周辺部を表示するために、図１２に示すセンサー（３１６）により検出される刺激（例えば、可視光又は電磁波等の、センサー（１５）に関する前記１以上の刺激）に応じて、ＰＣＢ（４４）上の論理及び制御システムにより制御する。すなわち、本発明の１つの観点によれば、２つの異なる色灯パターン（（１）センサー（３１５）（及び、選択される制御アルゴリズム）から受信される刺激に応じる火炎パターンをシミュレートする、第１の色、例えば、オレンジ色を用いる光のパターン、及び（２）ディスプレイ（３１３）上の消火器（３１８）からの刺激の衝撃の地点又は周辺部を識別する、第２の色、例えば、青色を用いる光のパターン）を、ディスプレイ（３１３）上に表示することがある。
【００７２】
図１２及び図１３に示す本発明の観点を、補助装置（３５０）、例えば、発煙器と連結して使用することがある。発煙器を、シミュレートされた火炎が増大するにつれて煙の出力を増加し、そしてシミュレートされた火炎を消すにつれて煙の出力を減少するように、操作することがある。ディスプレイ（３１３）上のシミュレートされた火炎及び煙は、あらかじめプログラムされたシナリオに従って、変えることもできる。発煙を使用する場合、煙の密度を決定するための煙センサーを、システム（１０）、（１１０）、及び（３１０）内に含むこともある。さらに、ドア又は窓の開放を検出するための通気センサーを、システム（１０）、（１１０）、又は（３１０）に導入することもある。
【００７３】
図１２及び図１３に示す本発明の観点によれば、ディスプレイ（１３）及び（３１３）を有する装置（１２）及び（３１２）のそれぞれを、領域全体にわたって、例えば、部屋、囲繞したような部屋、建物、囲繞したような建物全体にわたり分布することがある。装置（１２）及び（３１２）を、別々に配置することがあるか、又は別々に付けることがある。装置（１２）及び（３１２）を、囲繞の壁若しくは天井に設けることがあるか、独立していることがあるか、又は囲繞内の物体に設ける（例えば、家具一点に設ける）ことがある。システム（１０）、（１１０）、及び（３１０）が、発煙器を用いて使用している場合、煙の出力を、典型的に、囲繞に向ける。発煙器それ自体を、部屋若しくは囲繞の内部か、又は外部に、置くことがある。１つの観点では、システム（１０）、（１１０）、及び（３１０）を、個別の部屋内で、又は種々の隣接若しくは遠位の部屋をシミュレートするために種々のコンパートメントに区分けされている領域内での使用に適合することがある。
【００７４】
本発明の観点によれば、システム（１０）、（１１０）、及び（３１０）を、例えば、囲繞の内部か又は外部からコントローラー（２０）、（１２０）、及び（３２０）を用いて、例えば、コントローラー（２０）上のイグニッションボタン（５４）を押し込むことにより、上述の通り作動させることがある。ひとたびシステム（１０）、（１２０）、又は（３２０）を作動すれば、所定の火災シミュレーションを提供することがある。前記典型的なシステムのように、訓練シミュレーションには、火炎シミュレーション及び、煙の機械を使用する場合の煙の出力が含まれる。火炎シミュレーションは、１以上のディスプレイ（１３）、（３１３）上にシミュレートされた火炎を作動することにより開始し、その後ディスプレイ（１３）、（３１３）をさらに作動することにより時間とともに作られ、又は訓練セッションを開始する場合、すべてのディスプレイを作動することがある。発煙器を使用する場合、発煙器を訓練セッションの初めに作動することもある。例えば、最初に比較的低い煙の出力を生成し、そしてその後時間に伴い煙の出力を増加する（例えば、シミュレートされた火炎が増加又は拡大する）ように、発煙を制御することがある。発煙を、開始から比較的高いレベルで提供することもある。火炎を表示し煙を発生する他の装置は、当業者において明らかである。
【００７５】
１人以上の訓練を受ける者（３１４）又は訓練をさせる者（３１６）は、前記観点で述べた通り、部屋に入り、消火器（３１８）及びコントローラー（３２０）を使用することがある。図１２に示す観点によれば、消火器（３１８）が火炎シミュレーションディスプレイ（３１３）に向けて刺激を放出する場合、光源（２４０）の１つのセット、例えば発光ダイオードは、訓練を受ける者（２１４）により使用されるテクニックに応じて火炎パターンを変化させるようになり、そして、光源（３４０）の第２セット、再度、例えば発光ダイオードは、消火器（３１８）が指しているところをシミュレートするために明るくなるようになる。訓練を受ける者（３１４）により使用されるテクニックが、センサー（３１５）に消火器（３１８）を十分に向けていることを制御システムが決定するように、消火器（３１８）を操作する場合、シミュレートされた火炎を消すまで、センサー（３１５）の周辺部にシミュレートされた火炎は大きさが減少する。発煙を使用する場合、煙の出力の減少は、シミュレートされた火災の適切な消火を伴う。典型的には、訓練を受ける者（３１４）は、訓練セッションを終了するために、囲繞内のシミュレートされた火炎すべてを消さなければならない。１つの観点では、訓練を受ける者（３１４）がシミュレートされた火炎のすべてを消さない場合、火炎は、ある１つのディスプレイ（３１２）から、別のディスプレイ（３１２）、例えば、以前は不活発なディスプレイ（３１２）へ「拡大（ｓｐｒｅａｄ）」することがある。さらに、発煙器を使用する場合、煙の出力が増加することがある。
【００７６】
本発明の観点は、例えば、消火器の適切な取り扱い及び使用に関して消防士及び他の公共安全人員を訓練するための、有利な方法及び装置を提供する。しかし、従来技術の訓練装置と異なり、本発明の観点は、任意の裸火がない。すなわち、本発明の観点は、裸火が望ましくないか又は危険である環境での消火器の訓練を提供することがある。本発明の観点を、形式的でない訓練、又は形式的な訓練、例えば、消防士又は他の認定のために使用することがある。
【００７７】
本発明の前記装置及び方法の種々の変更及び修正は、本発明の範囲及び精神から逸脱することなく、当業者において明らかになるであろう。上記で概略を説明したように、本発明を具体的な実施態様と関連して記載しているが、本発明はこのような具体的な実施態様に必要以上に限定すべきでないことを理解することが好ましい。下記の特許請求の範囲で定義するように、本発明の精神及び範囲から逸脱することなく、種々の変更をすることがある。従って、本発明の真の精神及び範囲の範囲内として、添付した特許請求の範囲により、すべてのこのような別の観点を包含しようとするものである。
【図１】
2009529708.tif 000003
【図２】
2009529708.tif 000004
【図３】
2009529708.tif 000005
【図４】
2009529708.tif 000006
【図５】
2009529708.tif 000007
【図６】
2009529708.tif 000008
【図７】
2009529708.tif 000009
【図８】
2009529708.tif 000010
【図９】
2009529708.tif 000011
【図１０】
2009529708.tif 000012
【図１１】
2009529708.tif 000013
【図１２】
2009529708.tif 000014
【図１３】
2009529708.tif 000015
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
変化する光によって動的な火炎をシミュレートするパターンを表示するように適合された複数の光源を含むディスプレイと、
消火器及び消火器シミュレーターのうちの１つにより放出される刺激を検出し、そして検出した刺激に対応する信号を出力するように適合された少なくとも１つのセンサーと、
前記の少なくとも１つのセンサーからの出力を受信し、そして少なくとも１つの前記センサーにより検出される刺激に応じて、動的な火炎をシミュレートする光のパターンをディスプレイ上で変化させるように適合された１以上のプロセッサーと
を含む消火器訓練装置。
【請求項２】
前記ディスプレイが、変化する光の前に設けられ、変化する光のパターンにより放出される光の経路を変化させるように適合された少なくとも１つの第１パネルを更に含む、請求項１に記載の消火器訓練装置。
【請求項３】
前記ディスプレイが、第１パネルの前に設けられ、変化する光のパターンにより放出される光の経路を更に変化させるように適合された少なくとも１つの第２パネルを更に含む、請求項２に記載の消火器訓練装置。
【請求項４】
ディスプレイが、消火器及び消火器シミュレーターのうちの１つにより放出される刺激のディスプレイ上における衝撃の周辺部を検出するように適合された少なくとも１つのセンサーを更に含む、請求項１〜３のいずれか一項に記載の消火器訓練装置。
【請求項５】
衝撃の前記周辺部が、ディスプレイ上における衝撃の地点を含む、請求項４に記載の消火器訓練装置。
【請求項６】
消火器及び消火器シミュレーターのうちの１つにより放出される刺激が、電磁信号、圧力波信号、固体粒子の流れ及び流体の流れのうちの１つを含む、請求項１〜５のいずれか一項に記載の消火器訓練装置。
【請求項７】
刺激が圧力波信号を含み、そして圧力波信号が音波を含む、請求項６に記載の消火器訓練装置。
【請求項８】
装置の操作を調節するように適合されたコントローラーを更に含む、請求項１〜７のいずれか一項に記載の消火器訓練装置。
【請求項９】
前記コントローラーが、変化する光のパターンをディスプレイ上で調節する、請求項８に記載の消火器訓練装置。
【請求項１０】
前記コントローラーが、所定のアルゴリズムに従って、装置の操作を調節する、請求項８又は９に記載の消火器訓練装置。
【請求項１１】
前記の所定のアルゴリズムが、ヨーロッパ火災クラスＡ、Ｂ、Ｃ、Ｄ、Ｅ及びＦの少なくとも１つに相当する、請求項１０に記載の消火器訓練装置。
【請求項１２】
前記の少なくとも１つのセンサーが、ディスプレイに隣接して設けられているか、又はディスプレイ内に設けられている複数のセンサーを含む、請求項１〜１１のいずれか一項に記載の消火器訓練装置。
【請求項１３】
消火器訓練装置が１以上の発煙器を更に含む、請求項１〜１２のいずれか一項に記載の消火器訓練装置。
【請求項１４】
前記の１以上のプロセッサーが、前記の少なくとも１つのセンサーからの出力を受信し、そして刺激の衝撃の少なくとも周辺部をディスプレイ上で表示するように更に適合されている、請求項１〜１３のいずれか一項に記載の消火器訓練装置。
【請求項１５】
複数の光源が複数の発光ダイオードを含む、請求項１〜１４のいずれか一項に記載の消火器訓練装置。
【請求項１６】
前記の複数の光源が液晶ディスプレイ（ＬＣＤ）を含む、請求項１〜１５のいずれか一項に記載の消火器訓練装置。
【請求項１７】
前記の複数の光源が、白熱光、蛍光、エレクトロルミネセンス光、プラズマ光及びレーザーを１以上含む、請求項１〜１６のいずれか一項に記載の消火器訓練装置。
【請求項１８】
請求項１〜１７のいずれか一項に記載の消火器訓練装置により検出可能な刺激を放出するように適合された消火器シミュレーターであって、
前記消火器訓練シミュレーターが、
訓練を受ける者により保持されるように適合されたハウジングと、
ハウジング内に設けられた刺激源と、
刺激源を作動する手段と
を含む、前記消火器シミュレーター。
【請求項１９】
前記刺激源が、電磁放射、圧力波、流体及び固体粒子の流れのうちの１つを放出するように適合された送信機を含む、請求項１８に記載の消火器シミュレーター。
【請求項２０】
作動する手段が、訓練を受ける者により取扱い可能な手動アクチュエーターを含む、請求項１８又は１９に記載の消火器シミュレーター。
【請求項２１】
前記刺激源が、手動アクチュエーターにより作動されるように適合された少なくとも１つの電磁波エミッターを含む、請求項２０に記載の消火器シミュレーター。
【請求項２２】
前記ハウジングが、消火ホースノズルをシミュレートする、請求項１８〜２１のいずれか一項に記載の消火器シミュレーター。
【請求項２３】
複数の光源を用いた変化する光によって、動的な火炎をシミュレートするパターンを表示し、
消火器及び消火器シミュレーターのうちの１つにより放出される刺激を検出し、そして検出した刺激に対応する出力信号を発生し、
少なくとも１つのセンサーからの出力を処理し、そして少なくとも１つのセンサーにより検出される刺激に応じてディスプレイ上の光のパターンを変化すること
を含む消火器訓練方法。
【請求項２４】
消火器訓練方法が、シミュレートされた火炎の外観を向上するために、光のパターンの経路を変化させることを更に含む、請求項２３に記載の消火器訓練方法。
【請求項２５】
消火器訓練方法が、消火器及び消火器シミュレーターの方向を検出し、そして刺激の衝撃の周辺部をディスプレイ上で表示することを更に含む、請求項２３又は２４に記載の消火器訓練方法。
【請求項２６】
消火器訓練方法が、少なくとも１つの所定の消火器操作プロトコルにあてはめるために、前記訓練方法を実施するための前記訓練装置の操作を変化させることを更に含む、請求項２３〜２５のいずれか一項に記載の消火器訓練方法。
【請求項２７】
少なくとも１つの所定の操作プロトコルが、火災のクラスに対応する複数のアルゴリズムを含む、請求項２６に記載の消火器訓練方法。
【請求項２８】
前記の火災のクラスが、アメリカ火災クラス及びヨーロッパ火災クラスのうちの１つを含む、請求項２７に記載の消火器訓練方法。
【請求項２９】
前記の火災のクラスが、アメリカクラスＡ、クラスＢ、クラスＣ、クラスＤ、及びクラスＫを１以上含む、請求項２８に記載の消火器訓練方法。
【請求項３０】
前記の火災のクラスが、ヨーロッパクラスＡ、クラスＢ、クラスＣ、クラスＤ、クラスＥ、及びクラスＦを１以上含む、請求項２８に記載の消火器訓練方法。
【請求項３１】
変化する光のパターンを表示することが、ディスプレイ上でパターンを表示することを含み、そして消火器訓練方法が、
消火器及び消火器シミュレーターのうちの１つにより放出される刺激の衝撃の周辺部をディスプレイ上で検出し、
衝撃接触地点の周辺部をディスプレイ上で表示すること
を更に含む、請求項２３〜３０のいずれか一項に記載の消火器訓練方法。
【請求項３２】
消火器訓練方法が、複数の操作モードを含む、請求項２３〜３１のいずれか一項に記載の消火器訓練方法。
【請求項３３】
前記の複数の操作モードが、指示モード、テストモード、及び競争モードを１以上含む、請求項３２に記載の消火器訓練方法。
【請求項３４】
前記の複数の光源が、複数の発光ダイオードを含む、請求項２３〜３３のいずれか一項に記載の消火器訓練装置。
【請求項３５】
前記の複数の光源が、液晶ディスプレイ（ＬＣＤ）を含む、請求項２３〜３４のいずれか一項に記載の消火器訓練装置。
【請求項３６】
前記の複数の光源が、白熱光、蛍光、エレクトロルミネセンス光、プラズマ光、及びレーザーを１以上含む、請求項２３〜３５のいずれか一項に記載の消火器訓練装置。
【請求項３７】
複数の発光ダイオードを有するディスプレイ、及び動的な火炎をシミュレートするために発光ダイオードのイルミネーションを変化させるように適合されたコントローラーと、
消火器及び消火器シミュレーターのうちの１つにより放出される刺激を検出し、そして検出した刺激に対応する信号を出力するように適合された複数のセンサーと、
複数のセンサーからの出力を受信し、そして複数のセンサーにより検出される刺激に応じて、発光ダイオードのイルミネーションをディスプレイ上で変化させるように適合された１以上のプロセッサーと
を含む、消火器訓練装置。
【請求項３８】
前記ディスプレイが、複数の発光ダイオードの前に設けられ、複数の発光ダイオードにより放出される光の経路を変化させ、そしてシミュレートされた火炎の外観を向上させる第１及び第２パネルを更に含む、請求項３７に記載の消火器訓練装置。
【請求項３９】
前記の複数のセンサーが複数の第１センサーを含み、そして前記消火器訓練装置が刺激の衝撃の周辺部を検出するように適合された複数の第２センサーを更に含み、そして前記消火器訓練装置が衝撃の周辺部をディスプレイ上で表示する手段を更に含む、請求項３７又は３８に記載の消火器訓練装置。
【請求項４０】
前記消火器訓練装置の操作を調節するように適合されたコントローラーを更に含む、請求項３７〜３９のいずれか一項に記載の消火器訓練装置。
【請求項４１】
前記の１以上のプロセッサーが、ミニコントローラー及びディスプレイの操作を調節するように適合された複数のあらかじめプログラムされたアルゴリズムを含む、請求項３７〜４０のいずれか一項に記載の消火器訓練装置。
【請求項４２】
前記の複数のあらかじめプログラムされたアルゴリズムが、ヨーロッパ火災クラスＡ、Ｂ、Ｃ、Ｄ、Ｅ及びＦの少なくとも１つに相当する、請求項４１に記載の消火器訓練装置。
【請求項４３】
前記の複数のセンサーが、可聴下音波センサー、可聴音波センサー、及び超音波センサーを１以上含む、請求項３７〜４２のいずれか一項に記載の消火器訓練装置。
【請求項４４】
前記の複数のセンサーが、１以上の超音波センサーを含む、請求項４３に記載の消火器訓練装置。
【請求項４５】
前記の複数のセンサーが、ディスプレイに隣接して設けられている、請求項３７〜４４のいずれか一項に記載の消火器訓練装置。
【請求項４６】
前記の消火器訓練装置が、１以上の発煙器を更に含む、請求項３７〜４５のいずれか一項に記載の消火器訓練装置。
【請求項４７】
前記の１以上のプロセッサーが、少なくとも１つのセンサーからの出力を受信し、そして少なくとも刺激の衝撃の周辺部をディスプレイ上で表示するように更に適合されている、請求項３７〜４６のいずれか一項に記載の消火器訓練装置。
【請求項４８】
動的な火炎をシミュレートするように適合された複数の光源を含むディスプレイと、
火災鎮静装置及び火災鎮静装置シミュレーターのうちの１つにより放出される刺激を検出し、そして検出された刺激に対応する信号を出力するように適合された少なくとも１つのセンサーと、
少なくとも１つのセンサーからの出力を受信し、そして少なくとも１つのセンサーにより検出される刺激に応じて、動的な火炎をディスプレイ上で変化させるように適合された火炎制御信号を発生するように適合された１以上のプロセッサーと、
少なくとも１つの所定のアルゴリズムに従って、発生した火炎制御信号を変化させる手段と
を含む、消火器訓練装置。
【請求項４９】
前記の少なくとも１つの所定のアルゴリズムが、火災のクラスに対応する複数のアルゴリズムを含む、請求項４８に記載の消火器訓練装置。
【請求項５０】
前記の火災のクラスが、アメリカ火災クラス及びヨーロッパ火災クラスのうちの１つを含む、請求項４９に記載の消火器訓練装置。
【請求項５１】
前記の火災のクラスが、アメリカクラスＡ、クラスＢ、クラスＣ、クラスＤ、及びクラスＫを１以上含む、請求項４９に記載の消火器訓練装置。
【請求項５２】
前記の火災のクラスが、ヨーロッパクラスＡ、クラスＢ、クラスＣ、クラスＤ、クラスＥ及びクラスＦを１以上含む、請求項４９に記載の消火器訓練装置。
【請求項５３】
前記の複数の光源が、複数の発光ダイオードを含む、請求項４８〜５２のいずれか一項に記載の消火器訓練装置。
【請求項５４】
前記の複数の光源が、液晶ディスプレイ（ＬＣＤ）を含む、請求項４８〜５３のいずれか一項に記載の消火器訓練装置。
【請求項５５】
前記の複数の光源が、白熱光、蛍光、エレクトロルミネセンス光、プラズマ光、及びレーザーを１以上含む、請求項４８〜５４のいずれか一項に記載の消火器訓練装置。
【請求項５６】
動的な火炎をシミュレートするように適合された複数の光源を含むディスプレイを提供し、
火災鎮静装置及び火災鎮静装置シミュレーターのうちの１つにより放出される刺激を検出し、そして検出された刺激に対応する信号を出力するように適合された少なくとも１つのセンサーを提供し、
火災鎮静装置及び火災鎮静装置シミュレーターのうちの１つから刺激を放出し、
少なくとも１つのセンサーからの刺激を検出し、そしてセンサー出力を発生し、
センサー出力からの火炎制御信号を発生し、ここで前記火炎制御信号は少なくとも１つのセンサーにより検出される刺激に応じて、動的な火炎をディスプレイ上で変化させるように適合し、そして
少なくとも１つの所定のアルゴリズムに従って火炎制御信号を変化すること
を含む、消火器訓練方法。
【請求項５７】
前記の少なくとも１つの所定のアルゴリズムが、火災のクラスに対応する複数のアルゴリズムを含む、請求項５６に記載の消火器訓練方法。
【請求項５８】
前記の火災のクラスが、アメリカ火災クラス及びヨーロッパ火災クラスのうちの１つを含む、請求項５７に記載の消火器訓練方法。
【請求項５９】
前記の火災のクラスが、アメリカクラスＡ、クラスＢ、クラスＣ、クラスＤ、及びクラスＫを１以上含む、請求項５７に記載の消火器訓練方法。
【請求項６０】
前記の火災のクラスが、ヨーロッパクラスＡ、クラスＢ、クラスＣ、クラスＤ、クラスＥ及びクラスＦを１以上含む、請求項５７に記載の消火器訓練方法。
【請求項６１】
消火器訓練方法が、複数の操作モードを含む、請求項５６〜６０のいずれか一項に記載の消火器訓練方法。
【請求項６２】
前記の複数の操作モードが、指示モード、テストモード、及び競争モードを１以上含む、請求項６１に記載の消火器訓練方法
【請求項６３】
火災鎮静装置及び火災鎮静装置シミュレーターのうちの１つにより放出される刺激の衝撃の周辺部をディスプレイ上で検出し、
衝撃の周辺部をディスプレイ上で表示すること
を更に含む、請求項５６〜６２のいずれか一項に記載の消火器訓練方法。
【請求項６４】
前記の複数の光源が、複数の発光ダイオードを含む、請求項５６〜６３のいずれか一項に記載の消火器訓練方法。
【請求項６５】
前記の複数の光源が、液晶ディスプレイ（ＬＣＤ）を含む、請求項５６〜６４のいずれか一項に記載の消火器訓練方法。
【請求項６６】
前記の複数の光源が、白熱光、蛍光、エレクトロルミネセンス光、プラズマ光、レーザーを１以上含む、請求項５６〜６５のいずれか一項に記載の消火器訓練方法。
【国際調査報告】
2009529708.tif 000016
2009529708.tif 000017
2009529708.tif 000018